(57)【要約】【課題】表示部の種別に応じて点灯状態を変更可能な表示装置を提供する。【解決手段】誘導灯１の装置本体１０には発光部２と点灯装置３と表示部４ａとが保持されている。発光部２の照射光が表示部４ａの上端面から内部に入射すると、表示部４ａの内部で反射されて前面から外部に放射されることで、前面の絵柄を光らせて表示を行う。点灯装置３は、常用電源又は予備電源から電力供給を受けて発光部２を点灯させる。表示部４ａの裏面には、種別を示すための突起４２が設けられている。点灯装置３は、突起４２に操作レバーが押されることによって接点状態が切り替わるマイクロスイッチ３６を備え、マイクロスイッチ３６の接点状態から突起４２の有無、すなわち表示部の種別を判別し、常用電源からの電力供給時における点灯状態及び予備電源からの電力供給時における点灯状態のうち少なくとも何れか一方の点灯状態を、表示部の種別に応じて切り替えている。【選択図】図１
2013097111.tif 000002
【特許請求の範囲】
【請求項１】
発光部と、
前面に絵柄を有し、前記発光部からの照射光を前方に透過させることで表示を行う表示部と、
常用電源又は予備電源から電力供給を受けて前記発光部を点灯させる点灯回路部と、
前記表示部の前面を露出させた状態で前記発光部と前記表示部と前記点灯回路部とを保持する装置本体と、
前記表示部の種別を判別し、前記点灯回路部が前記常用電源から電力供給を受けて前記発光部を点灯させる点灯状態、及び、前記点灯回路部が前記予備電源から電力供給を受けて前記発光部を点灯させる点灯状態のうち、少なくとも何れか一方の点灯状態を前記種別に応じて設定する点灯状態設定部とを備えたことを特徴とする表示装置。
【請求項２】
前記点灯状態設定部が、前記点灯回路部と一体的に設けられたことを特徴とする請求項１記載の表示装置。
【請求項３】
前記表示部は、種別に応じて形状が異なる形状部を備え、前記点灯状態設定部は、前記形状部との接触状態に基づいて前記表示部の種別を判別することを特徴とする請求項１又は２の何れか記載の表示装置。
【請求項４】
前記表示部の種別を示す識別情報を記憶する記憶部が前記表示部に取り付けられ、
前記点灯状態設定部は、前記記憶部から前記識別情報を読み取ることで、前記表示部の種別を判別することを特徴とする請求項１又は２の何れか記載の表示装置。
【発明の詳細な説明】
【技術分野】
【０００１】
本発明は、表示装置に関するものである。
【背景技術】
【０００２】
従来、蛍光ランプと、蛍光ランプに側面を対向させて配置され、側面から入射した蛍光ランプの光を前面から前方に向かって出射させる導光板と、導光板の前側に配置された矩形板状の表示手段とを備えた誘導灯装置があった（例えば、特許文献１参照）。
【０００３】
上記特許文献１に記載された誘導灯装置では、表示手段が表裏何れの面を前側にしても使用可能となっており、表示手段の表裏を入れ替えることによって図柄の向きを左右反対にし、誘導方向を変更できるようになっていた。
【先行技術文献】
【特許文献】
【０００４】
【特許文献１】特開平７−２３４６９号公報
【発明の概要】
【発明が解決しようとする課題】
【０００５】
上記特許文献１に開示された表示装置では、表示手段の表示内容に関係無く、蛍光ランプの点灯状態は一定であった。そのため、表示部の種別（例えば表示内容や用途や設置場所の違い）に応じて蛍光ランプの点灯状態を異ならせたい場合は、蛍光ランプを異なる点灯状態で点灯させる点灯回路部を表示部の種別毎に用意し、表示手段と組み合わせて使用する必要がある。そのため、点灯回路部の品種が増え、多品種の中から表示手段と組み合わせる点灯回路部を選定する工数が必要になるので、工数の増加によってコスト高を招いたり、選定ミスが発生するという問題があった。また、表示手段の種別を途中で変更する場合に、表示手段の種別変更に伴って点灯状態を変更する必要があると、表示手段に加えて点灯回路部も一緒に変更しなければならず、不経済であった。
【０００６】
本発明は上記課題に鑑みて為されたものであり、その目的とするところは、表示部の種別に応じて点灯状態を変更可能な表示装置を提供することにある。
【課題を解決するための手段】
【０００７】
本願の表示装置は、発光部と、表示部と、点灯回路部と、装置本体と、点灯状態設定部とを備える。表示部は、前面に絵柄を有し、発光部からの照射光を前方に透過させることで表示を行う。点灯回路部は、常用電源又は予備電源から電力供給を受けて発光部を点灯させる。装置本体は、表示部の前面を露出させた状態で発光部と表示部と点灯回路部とを保持する。点灯状態設定部は表示部の種別を判別する。そして、点灯状態設定部は、点灯回路部が常用電源から電力供給を受けて発光部を点灯させる点灯状態、及び、点灯回路部が予備電源から電力供給を受けて発光部を点灯させる点灯状態のうち、少なくとも何れか一方の点灯状態を種別に応じて設定する。
【０００８】
この表示装置において、点灯状態設定部が、点灯回路部と一体的に設けられることも好ましい。
【０００９】
この表示装置において、表示部は、種別に応じて形状が異なる形状部を備え、点灯状態設定部は、形状部との接触状態に基づいて表示部の種別を判別することも好ましい。
【００１０】
この表示装置において、表示部の種別を示す識別情報を記憶する記憶部が表示部に取り付けられ、点灯状態設定部は、記憶部から識別情報を読み取ることで、表示部の種別を判別することも好ましい。
【発明の効果】
【００１１】
本発明によれば、表示部の種別に応じて点灯状態設定部が発光部の点灯状態を変更することができる。したがって、複数種類の表示部で点灯回路部を共用できるから、点灯回路部の品種を減らして、コストダウンを図ることができる。
【図面の簡単な説明】
【００１２】
【図１】実施形態１の誘導灯を示し、（ａ）は分解斜視図、（ｂ）は外観斜視図、（ｃ）は表示部を裏側から見た斜視図である。
【図２】同上の概略的なブロック図である。
【図３】（ａ）は表示部及び発光部の取付前の断面図、（ｂ）は表示部及び発光部が取り付けられた状態の断面図である。
【図４】（ａ）は表示部及び発光部の取付前の断面図、（ｂ）は表示部及び発光部が取り付けられた状態の断面図である。
【図５】（ａ）（ｂ）は常用電源から電力供給を受けた状態での点灯パターンを示す説明図である。
【図６】（ａ）〜（ｃ）は予備電源から電力供給を受けた状態での点灯パターンを示す説明図である。
【図７】実施形態２の誘導灯を示し、（ａ）は分解斜視図、（ｂ）は表示部を裏側から見た斜視図である。
【図８】同上の断面図である。
【発明を実施するための形態】
【００１３】
以下では、本発明に係る表示装置を、消防法に定められた避難誘導用の誘導灯に適用した実施形態について図面を参照して説明する。尚、表示装置を誘導灯に限定する趣旨のものではなく、建築基準法に定められた避難誘導用の非常灯でもよいし、各種の標識や広告を表示するための電灯でもよい。
【００１４】
（実施形態１）
実施形態１について図１〜図６に基づいて説明する。本実施形態の誘導灯１は、造営材（例えば、天井や壁など）に取り付けられ、避難誘導用の標識として用いられるものである。尚、以下の説明では特に断りが無い限り、図３（ａ）における上下方向を上下方向、図３（ａ）における左右方向を前後方向、図３（ａ）の紙面と垂直な方向を左右方向として説明を行う。
【００１５】
この誘導灯１は、図１，図３及び図４に示すように、装置本体１０と、発光部２と、点灯装置３と、表示部４ａ，４ｂとを主要な構成として備えている。本実施形態では２種類の表示部４ａ、４ｂがあり、表示部４ａ，４ｂの何れかが選択して使用される。尚、以下の説明において表示部４ａ，４ｂに共通する説明を行う場合は表示部４と表記し、個々の表示部４ａ，４ｂについて説明する場合は表示部４ａ又は表示部４ｂと表記する。
【００１６】
装置本体１０は、例えば合成樹脂成形品であって、前面側が開口した矩形箱状に形成されている。装置本体１０の上側壁１１には左右方向の略中央に電源線用のノックアウト１２が設けられ、このノックアウト１２の左右両側にネジ挿通用のノックアウト１３がそれぞれ設けられている。この装置本体１０は、ノックアウト１３を開けることによって形成された孔に固定ネジ（図示せず）を通し、天井材に固定された取付金具（図示せず）にねじ込むことによって、天井材に固定される。また、天井材の裏側に配線された外部電源（例えば商用交流電源）からの電源線が、天井材に設けられた穴と、ノックアウト１２を開けることで形成された穴とに通されて、装置本体１０の内部に導入される。この電源線は、装置本体１０の内部に収納された点灯装置３の端子台（図示せず）に電気的に接続され、点灯装置３の回路部に電源が供給されるようになっている。
【００１７】
装置本体１０の開口部には、横長の直方体状の発光部２と、矩形板状の表示部４とが上下に並べて取り付けられ、発光部２及び表示部４によって装置本体１０の前側の開口が塞がれる。
【００１８】
装置本体１０の左右両側壁の内側面には、表示部４の左右両側縁に設けられた係止突起４１と係合する係止片１４が２個ずつ設けられている。各係止片１４は左右方向から見た形状が略Ｌ形に形成されており、装置本体１０の開口部を覆うようにして配置された表示部４を下側へスライド移動させると、表示部４の係止突起４１と係止片１４とが係止することで、表示部４が装置本体１０に取り付けられる。
【００１９】
また装置本体１０の左右両側壁の内側面には、発光部２の背面と対向する位置に、発光部２の左右両側にそれぞれ設けられたガイド棒２２及び差込端子２３が差込接続される差込口１５が設けられている。
【００２０】
発光部２は、左右方向に細長い直方体状に形成された本体２１を備え、本体２１の下面には複数個の発光ダイオード（図示せず）が一定の間隔で配置されている。本体２１の背面の左右両側には、装置本体１０の差込口１５内に挿入されて、本体２１を装置本体１０に機械的に取り付けるためのガイド棒２２がそれぞれ設けられている。また、本体２１の背面の左右両側には、装置本体１０の差込口１５内に挿入されて、差込口１５内に配置された端子に電気的に接続される差込端子２３がそれぞれ設けられている。而して、本体２１のガイド棒２２及び差込端子２３が装置本体１０の差込口１５にそれぞれ差込接続されると、本体２１が装置本体１０の上部に取り付けられるとともに、本体２１内に収納された複数の発光ダイオードが点灯装置３の出力端間に接続される。
【００２１】
２種類の表示部４ａ，４ｂは表示する内容、用途、或いは設置場所が互いに異なっており、種類を識別するために設けられた突起４２以外は同様の構成を有しているので、突起４２が設けられた表示部４ａについて、図１を参照して説明する。尚、表示部４ｂは、突起４２が設けられていない点を除いて、表示部４ａと同様の構成を有している。
【００２２】
表示部４ａは、例えば避難口の方向や避難経路を示す絵柄が前面に形成された矩形板状の表示パネルと、この表示パネルの背面側に配置された矩形板状の導光パネルとが前後に重なるように結合された矩形板状の本体４０を備えている。導光パネルは、例えば透明なアクリル樹脂成形品であって、表示パネルと略同形状に形成されている。発光部２の照射光は、導光パネルの上端面に入射し、導光パネルの内部で１乃至複数回反射された後、導光パネルの前面（表示パネルと対向する面）から前方へ均一に照射される。表示パネルは、例えば合成樹脂成形品であって略矩形板状に形成され、前面側には、例えば印刷により人物を模したピクトグラムで構成された表示パターンが形成されており、裏面から光が照射されることによって、表示パターンを光らせて表示を行っている。
【００２３】
本体４０の背面の左右両側縁には係止突起４１が上下２箇所にそれぞれ設けられている。係止突起４１を上側から見た形状は略Ｌ字形であり、左側縁にある係止突起４１の先端は左側へ、右側縁にある係止突起４１の先端は右側へそれぞれ突出している。この表示部４ａは、係止突起４１が対応する係止片１４の上側に位置するように装置本体１０の開口部に配置された後、下側へスライド移動させられると、係止突起４１と係止片１４とが係止することによって、装置本体１０に取り付けられる。尚、この取付状態においては、係止突起４１が対応する係止片１４の下辺に当接することで、表示部４の下側への移動が規制され、係止突起４１が対応する係止片１４の縦辺と当接することで、表示部４の前側への移動が規制されている。
【００２４】
また本体４０の裏面には、点灯装置３と対向する部位に、側面視の形状が三角形状に形成された突起４２（形状部）が設けられている。この突起４２は表示部４の種別を示すためのものであり、表示部４ｂの裏面には突起４２が設けられておらず、平坦面となっている。
【００２５】
点灯装置３は、図２のブロック図に示されるように、点灯回路部３１と、点灯状態設定部（認識部３２及び設定部３３からなる）と、停電検出部３４と、充放電部３５とを備え、これらの回路部を箱状のケース３０の内部に収納して構成される。
【００２６】
点灯回路部３１は、常用電源である商用交流電源６、又は、装置本体１０内に収納されたバッテリからなる予備電源５から電力供給を受けて発光部２を点灯させる。
【００２７】
認識部３２は、ケース３０の前面において突起４２に対向する部位に操作レバーが配置されたマイクロスイッチ３６からなり、表示部４の種別によって突起４２で操作レバーが押されるか否かでマイクロスイッチ３６の接点のオン／オフが切り替わる。ここで、図３（ａ）（ｂ）に示されるように、突起４２を備えた表示部４ａが装置本体１０に取り付けられると、マイクロスイッチ３６の操作レバーが突起４２に押されて、マイクロスイッチ３６の接点状態が反転する。一方、図４（ａ）（ｂ）に示されるように、突起４２が設けられていない表示部４ｂが装置本体１０に取り付けられると、マイクロスイッチ３６の操作レバーは押されないから、マイクロスイッチ３６の接点状態は反転しない。
【００２８】
設定部３３は、認識部３２の認識結果、すなわちマイクロスイッチ３６の接点のオン／オフをもとに表示部４の種別を判別する。そして、設定部３３は、商用交流電源６から電力供給を受けて発光部２を点灯させる点灯状態、及び、予備電源５から電力供給を受けて発光部２を点灯させる点灯状態のうち、少なくとも何れか一方の点灯状態を表示部４の種別に応じて設定する。ここにおいて、認識部３２と設定部３３とで点灯状態設定部が構成される。
【００２９】
停電検出部３４は、商用交流電源６の電源電圧と所定のしきい値との高低を比較することによって、停電状態か否かを検出する。
【００３０】
充放電部３５は、商用交流電源６が供給されている状態では商用交流電源６から電力供給を受けて予備電源５を充電し、停電検出部３４が停電を検出すると、予備電源５から放電させて点灯回路部３１に電力を供給させる。
【００３１】
誘導灯１の各部は上記のような構成を有しており、この誘導灯１は以下のようにして天井に施工される。施工者は、先ず天井材の所定位置に取付金具を固定し、天井材の裏側に配線された電源線を天井材及び取付金具の孔と、ノックアウト１２を開けることによって形成した孔とに通して、装置本体１０の内部に導入する。次に施工者は、ノックアウト１３を開けることによって形成した孔に固定ネジを通し、この固定ネジを取付金具にねじ込むことによって、装置本体１０を天井材に固定する。また施工者は、装置本体１０の内部に導入された電源線を点灯装置３の端子台（図示せず）に接続する。次に施工者は、係止突起４１が対応する係止片１４の上側に位置するようにして表示部４（表示部４ａ，４ｂの何れか）を装置本体１０の開口部に配置し、この表示部４を下側へスライド移動させることによって、係止突起４１を係止片１４と係止させる。このようにして表示部４が装置本体１０に保持された状態で、施工者は、ガイド棒２２及び差込端子２３を装置本体１０側に向けた状態で発光部２を装置本体１０に前方から近付け、ガイド棒２２及び差込端子２３をそれぞれ差込口１５に差込接続する。この時、発光部２が装置本体１０に対して機械的に保持されるとともに、発光部２と点灯装置３との間が電気的に接続され、誘導灯１の施工が完了する。尚、発光部２が装置本体１０に取り付けられると、表示部４が上側にスライド移動できないから、表示部４が装置本体１０から外れることがない。
【００３２】
次に、本実施形態の誘導灯１の動作について説明する。常用電源である商用交流電源６が供給されている状態では、点灯回路部３１は、商用交流電源６から電力供給を受けて、発光部２を点灯させ、通常時の表示を行わせる。また充放電部３５は、商用交流電源６の通電中にバッテリからなる予備電源５を充電する。一方、商用交流電源６の停電が発生すると、停電検出部３４が停電を検知して充放電部３５に検知信号を出力し、充放電部３５が予備電源５から放電させて点灯回路部３１に電力供給を行わせる。而して、商用交流電源６の停電時には、点灯回路部３１は、予備電源５から電力供給を受けて発光部２を点灯させ、停電時の表示を行わせる。すなわち、点灯回路部３１は、商用交流電源６又は予備電源５から電力供給を受けて発光部２を点灯させ、表示部４に通常時の表示又は停電時の表示を行わせている。
【００３３】
ここで、設定部３３は、商用交流電源６からの電力供給時における点灯状態、及び、予備電源５からの電力供給時における点灯状態のうち少なくとも何れか一方を、認識部３２によって判別された表示部４の種別をもとに設定している。
【００３４】
例えば、常用電源である商用交流電源６からの電力供給時に表示部４の種別に応じて発光部２の明るさを異ならせたい場合は、設定部３３が、表示部４の種別に応じて、常用電源からの電力供給時における点灯回路部３１の出力を異ならせればよい。図５は商用交流電源６からの電力供給時における点灯状態を表示部４の種別に応じて設定した設定例を示し、例えば突起４２を有する表示部４ａの場合は光出力がＬ１に設定され、突起４２がない表示部４ｂの場合は光出力がＬ１よりも暗いＬ２に設定されている。これにより、２種類の表示部４ａ，４ｂで発光部２の明るさを異ならせたい場合でも、設定部３３が、常用電源からの電力供給時における点灯状態を表示部４の種別に応じて設定することで、点灯装置３を変更することなく両方の表示部４ａ，４ｂに対応できる。
【００３５】
また、予備電源５からの電力供給時（停電時）に表示部４の種別に応じて発光部２の点滅周波数を異ならせたい場合は、設定部３３が、表示部４の種別に応じて、予備電源５からの電力供給時に点灯回路部３１が発光部２を点滅させる周波数を変更すればよい。
【００３６】
図６は予備電源５からの電力供給時における点灯状態を表示部４の種別に応じて設定した設定例である。設定部３３は、突起４２を有する表示部４ａが装着された場合は図６（ａ）のように発光部２を常時点灯させ、突起４２がない表示部４ｂが装着された場合は図６（ｂ）のように発光部２を所定周波数（例えば２Ｈｚ）で点滅させるように点灯状態を設定する。これにより２種類の表示部４ａ，４ｂで点灯させるか、点滅させるかを切り替えたい場合でも、設定部３３が、予備電源５からの電力供給時における点灯状態を表示部の種別に応じて設定することによって、１台の点灯装置３で両方の表示部４ａ，４ｂに対応できる。
【００３７】
また、予備電源５からの電力供給時（すなわち停電時）に発光部２を点滅させる点滅周波数を表示部４の種別に応じて異ならせたい場合がある。例えば避難口に設置される誘導灯１の場合は、表示部４の存在が目立つように、消防法では点滅周波数を比較的高い周波数（例えば２Ｈｚ）とするように規定されている。一方、通路に設置される誘導灯１の場合、避難方向を示す絵柄（例えば矢印の向き）を確実に識別できることが重要であり、そのため避難口にある誘導灯１よりも点滅周波数を下げ、一回当たりの点灯時間を長くすることが考えられる。そこで、避難口に設置される誘導灯１には突起４２がある表示部４ａを、通路に設置される誘導灯１には突起４２がない表示部４ｂをそれぞれ使用し、設定部３３は、認識部３２の判別結果に応じて予備電源５からの電力供給時における点滅周波数を設定する。すなわち、認識部３２によって表示部４ａと識別された場合、設定部３３は、図６（ｂ）に示すように、予備電源５からの電力供給時に発光部２を２Ｈｚ（Ｔ１＝約０．５秒）で点滅させるように点灯回路部３１の点灯状態を設定する。また、認識部３２によって表示部４ｂと識別された場合、設定部３３は、図６（ｃ）に示すように、予備電源５からの電力供給時に発光部２を１Ｈｚ（Ｔ２＝約１秒）で点滅させるように点灯回路部３１の点灯状態を設定する。これにより、予備電源５からの電力供給時において、避難口に設置された誘導灯１は発光部２を２Ｈｚで点滅させることによって、表示部４ａの存在が目立ちやすくなる。また、予備電源５からの電力供給時において、通路に設置された誘導灯１は発光部２を１Ｈｚで点滅することによって、発光部２の１回当たりの点灯時間を長くでき、表示部４ｂの絵柄が識別しやすくなるから、避難方向を確実に判別することができる。
【００３８】
以上説明したように本実施形態の誘導灯１（表示装置）は、発光部２と、表示部４と、点灯回路部３１と、装置本体１０と、点灯状態設定部（認識部３２及び設定部３３からなる）とを備える。表示部４は、前面に絵柄を有し、発光部２からの照射光を前方に透過させることで表示を行う。点灯回路部３１は、常用電源又は予備電源から電力供給を受けて発光部２を点灯させる。装置本体１０は、表示部４の前面を露出させた状態で発光部２と表示部４と点灯装置３（点灯回路部３１などからなる）とを保持する。点灯状態設定部（認識部３２）は表示部４の種別を判別する。そして、点灯状態設定部（設定部３３）は、点灯回路部３１が常用電源から電力供給を受けて発光部２を点灯させる点灯状態、及び、点灯回路部３１が予備電源から電力供給を受けて発光部２を点灯させる点灯状態のうち、少なくとも何れか一方の点灯状態を、表示部４の種別に応じて設定する。
【００３９】
これにより、表示部４の種別、例えば表示する内容や用途や設置場所に応じて、点灯状態設定部が、常用電源からの電力供給時における点灯状態、及び、予備電源からの電力供給時における点灯状態のうち、少なくとも何れか一方の点灯状態を変更することができる。したがって、複数種類の表示部４で点灯状態を異ならせたい場合でも同一の点灯回路部３１を共用できるから、点灯回路部３１（すなわち点灯装置３）の品種を減らすことができる。点灯回路部３１の品種が増えると、使用する点灯回路部３１の品種を選定するために工数がかかり、また多品種の在庫を用意する必要があるから、管理費などのコストも高くつくが、本実施形態では複数種類の表示部で点灯回路部３１が共用することができる。よって点灯回路部３１の品種を少なくでき、点灯回路部３１の品種を統合することによってコストダウンを図ることができる。
【００４０】
また本実施形態では、点灯装置３のケース３０に、点灯状態設定部（マイクロスイッチ３６からなる認識部３２と設定部３３とで構成される）や点灯回路部３１が収納されている。すなわち、本実施形態では点灯状態設定部が点灯回路部３１と一体的に設けられている。
【００４１】
これにより、部品点数が削減され、組み立て作業の手間が簡略化できる。
【００４２】
また本実施形態では、表示部４が、種別に応じて形状が異なる形状部（突起４２）を備え、点灯状態設定部（認識部３２を構成するマイクロスイッチ３６）は、形状部との接触状態に基づいて表示部４の種別を判別している。
【００４３】
これにより、点灯状態設定部の認識部３２をマイクロスイッチ３６などで実現できるから、表示部４に設けられたＩＤタグから識別情報を読み込む場合に比べて、低コストであり、また表示部４の種別を判別するために必要な電力が少なくて済む。
【００４４】
尚、表示部４の反りや変形によって形状部との接触状態が変化しにくいよう、突起４２及び突起４２で駆動されるマイクロスイッチ３６は、表示部４と装置本体１０とを係止させるために設けられた係止突起４１及び係止片１４の近くに配置されるのが好ましい。
【００４５】
（実施形態２）
実施形態２について図７及び図８を参照して説明する。尚、実施形態１と共通する構成要素には同一の符号を付して、その説明は省略する。
【００４６】
上述の実施形態１では、種別に応じて形状が異なる形状部（突起４２）を表示部４に設け、認識部３２が形状部との接触状態に基づいて表示部４の種別を判別している。それに対して、本実施形態では各々の表示部４に、種別を示す識別情報が予め登録されたＩＤタグ４３（記憶部）が取り付けられている。一方、点灯装置３には、ＩＤタグ４３との間で電波や電磁界を用いた近距離の無線通信（ＲＦＩＤ）を行うことによって、ＩＤタグ４３に記憶された識別情報を読み取るリーダ３７が設けられている。そして、図８に示すように表示部４が装置本体１０に取り付けられると、リーダ３７と通信可能な範囲にＩＤタグ４３が配置されるから、リーダ３７はＩＤタグ４３から識別情報を読み取ることができる。ここにおいて、本実施形態ではリーダ３７によって認識部３２が構成される。
【００４７】
そして、設定部３３は、実施形態１と同様に、商用交流電源６から電力供給を受けて発光部２を点灯させる点灯状態、及び、予備電源５から電力供給を受けて発光部２を点灯させる点灯状態のうち、少なくとも何れか一方の点灯状態を認識部３２が読み取った識別情報をもとに設定する。これにより、常用電源からの電力供給時及び予備電源からの電力供給時のうち少なくとも何れか一方の状態における点灯状態を表示部４の種別に応じて設定できる。よって、表示部４の種別に応じて発光部２の点灯状態が異なる場合でも同じ点灯回路部３１で対応できるから、複数種類の表示部４で点灯回路部３１を共用することで、点灯回路部３１（すなわち点灯装置３）の品種を削減でき、点灯回路部３１の品種を統合することでコストダウンを図ることができる。また点灯回路部３１の品種が複数存在する場合は、表示部４の種別に応じて点灯回路部３１の品種を選定する作業が必要であるが、複数種類の表示部４で点灯回路部３１を共用しているので、点灯回路部３１（点灯装置３）を選定する作業が不要になる。また複数種類の点灯装置３を調達し、保管する必要がなくなるから、全体としてコストダウンを図ることができる。
【００４８】
以上説明したように本実施形態の誘導灯１（表示装置）は、発光部２と、表示部４と、点灯回路部３１と、装置本体１０と、点灯状態設定部（認識部３２及び設定部３３からなる）とを備える。表示部４は、前面に絵柄を有し、発光部２からの照射光を前方に透過させることで表示を行う。点灯回路部３１は、常用電源又は予備電源から電力供給を受けて発光部２を点灯させる。装置本体１０は、表示部４の前面を露出させた状態で発光部２と表示部４と点灯装置３（点灯回路部３１などからなる）とを保持する。点灯状態設定部（認識部３２）は表示部４の種別を判別する。そして、点灯状態設定部（設定部３３）は、点灯回路部３１が常用電源から電力供給を受けて発光部２を点灯させる点灯状態、及び、点灯回路部３１が予備電源から電力供給を受けて発光部２を点灯させる点灯状態のうち、少なくとも何れか一方の点灯状態を種別に応じて設定する。
【００４９】
これにより、表示部４の種別、すなわち表示部４が表示する内容や用途や設置場所に応じて、点灯状態設定部が、常用電源からの電力供給時における点灯状態、及び、予備電源からの電力供給時における点灯状態のうち、少なくとも何れか一方の点灯状態を変更することができる。したがって、複数種類の表示部４で点灯状態を異ならせたい場合でも同一の点灯回路部３１を共用できるから、点灯回路部３１の品種を減らすことができる。点灯回路部３１の品種が増えると、使用する点灯回路部３１の品種を選定するために工数がかかり、また多品種の在庫を用意する必要があるから、管理費などのコストも高くつくが、複数種類の表示部で点灯回路部３１が共用されることによって、点灯回路部３１の品種を少なくでき、全体としてコストダウンを図ることができる。
【００５０】
また本実施形態では、点灯装置３のケース３０に、点灯状態設定部（リーダ３７からなる認識部３２と設定部３３とで構成される）や点灯回路部３１が収納されている。すなわち、本実施形態では点灯状態設定部が点灯回路部３１と一体的に設けられている。
【００５１】
これにより、部品点数が削減され、組み立て作業の手間が簡略化できる。
【００５２】
また本実施形態では、表示部４の種別を示す識別情報を記憶する記憶部（ＩＤタグ４３）が表示部４に取り付けられ、点灯状態設定部は、記憶部から識別情報を読み取ることで、表示部４の種別を判別している。
【００５３】
実施形態１のように、種別に応じて形状が異なる形状部を表示部４に設ける場合、表示部４の品種が多くなると、形状部の形状が複雑になり、またマイクロスイッチの数を増やす必要があるが、記憶部に識別情報を記憶させることで、表示部４の品種が多い場合にも容易に対応できる。
【００５４】
尚、表示部４に設けられたＩＤタグ４３からリーダ３７が識別情報を読み取るタイミングは、例えば初期施工時の電源投入時や、動作点検を実施した後に通常の制御モードに復帰するタイミングなどに限定するのが好ましく、リーダ３７がＩＤタグ４３から識別情報を読み取るために必要な電力を低減できる。
【００５５】
また、本実施形態では認識部３２が、表示部４に設けられた記憶部（ＩＤタグ４３）から非接触で識別情報を読み取っているが、表示部４及び装置本体３１に互いに電気的に接触する接点が設けられ、接点を通じて認識部３２が記憶部から識別情報を読み取るようにしてもよい。
【符号の説明】
【００５６】
１  誘導灯（表示装置）
２  発光部
３  点灯装置
４ａ，４ｂ  表示部
１０  装置本体
３１  点灯回路部
３２  認識部（点灯状態設定部）
３３  設定部（点灯状態設定部）
３６  マイクロスイッチ
３７  リーダ
４２  突起（形状部）
４３  ＩＤタグ（記憶部）
【図１】
2013097111.tif 000003
【図２】
2013097111.tif 000004
【図３】
2013097111.tif 000005
【図４】
2013097111.tif 000006
【図５】
2013097111.tif 000007
【図６】
2013097111.tif 000008
【図７】
2013097111.tif 000009
【図８】
2013097111.tif 000010